(57)【特許請求の範囲】
【請求項１】
ディスクを保持するディスク保持手段を有し、該ディスク保持手段によって前記ディスクの搬入および搬出を行うディスク装置において、前記ディスク保持手段が、前記ディスク周縁部の半周より狭い範囲に当接するように３つのディスク当接支持部材が配設された円弧状のディスク保持部を有し、前記ディスク当接支持部材のうちの１つは前記ディスクの上面に当接し、残りの２つのディスク当接支持部材は前記ディスクの下面に当接することを特徴とするディスク装置。
【請求項２】
請求項１に記載のディスク装置において、前記ディスク保持部が、前記ディスクの下面に当接する１つの前記ディスク当接支持部材を有するディスク支持部材と、前記ディスクの上面と下面に当接する残り２つの前記ディスク当接支持部材を有する他のディスク支持部材とからなり、複数の前記ディスク支持部材が、結合軸によって結合され、かつ、付勢手段によって付勢されて前記ディスクの外形より大きい外径を有する円弧を形成することを特徴とするディスク装置。
【請求項３】
請求項２に記載のディスク装置において、円錐台状のディスク案内突起が設けられ、かつ、前記ディスク保持手段の回動に連動して前記ディスクを上下させるディスク昇降手段を有し、該ディスク昇降手段が、前記ディスク保持手段が所定の位置まで回動される動作に連動して、前記ディスク案内突起を前記ディスクの中央孔に嵌合させて該ディスクを保持することを特徴とするディスク装置。
【発明の詳細な説明】
【０００１】
【発明の属する技術分野】
本発明は、ディスク装置、より詳細には、ＣＤ，ＤＶＤなどのディスク装置におけるディスク装填機構に関する。
【０００２】
【従来の技術】
装置に対するディスクの搬入および搬出のためのディスクローディング機構に関する公知文献として、例えば、特開平９−１８５８６０号公報や特開平９−２９３３０６号公報に開示されたものがある。
図４は、従来技術によるディスク装置の一例を説明するための要部斜視図である。上記特開平９−１８５８６０号公報に開示されたものは、図４に示したように、オートローデイングによって、装置へのディスクの搬入および搬出を行うようにしたもので、トレイ１６が、プレーヤーハウジング１７に対して一対の案内レール１８を介して突出収納自在に設けられており、例えば、３種類の大きさの異なるディスク（図示せず）が、このトレイ１６上に載置されて再生位置に搬送される。なお、ディスクの大きさとして、直径が３０ｃｍ，２０ｃｍ，１２ｃｍのものを使用することができる。
【０００３】
トレイ１６を移動させるために、トレイ１６の側面に、その移動方向に沿って、かつ、略全長にわたってラック部１６ａが設けられており、ラック部１６ａに噛合する歯車１９が、モータなどによって回転駆動されるようになっている。トレイ１６のディスク担持面には、上記のディスクを収容し得るように、円弧状外形を有する同心円状の凹部１６ｂ，１６ｃ，１６ｄが、所定の段差をもって形成されている。また、トレイ１６の突出方向に略直交する方向では、円弧状外形凹部が欠切形成されている。
【０００４】
プレーヤハウジング１７内には、第１押圧部材としてのターンテーブル２０が、そのディスク担持面が下向きになるように設けられており、トレイ１６に載置されてターンテーブル２０のディスク担持面に平行な方向においてプレーヤハウジング１７内に収納された各ディスクは、このターンテーブル２０のディスク担持面の直下に所定の間隔を隔てて位置している。
【０００５】
ターンテーブル２０の直下に達したディスクは、ディスククランプ機構２１によって上方に向けて持ち上げられるようにしてトレイ１６から離間させられ、かつ、ターンテーブル２０のディスク担持面に対してクランプされる。尚、ディスククランプ機構２１は、ディスクに当接してこれをターンテーブル２０のディスク担持面に押圧するための第２押圧部材としての円盤状押圧部材２２と、支持部材２３によって、上下方向、すなわち、ターンテーブル２０のディスク担持面に対して直角方向において揺動自在に設けられて自由端部にて円盤状押圧部材２２を回転可能に支持した支持部材２３と、この支持部材２３を揺動させる駆動手段とから構成されている。
【０００６】
支持部材２３上には、光学式ピックアップを担持したキャリッジ２４が配置されており、ターンテーブル２０に装着されたディスクの記録面に沿ってキャリッジ２４を移動すべく、ガイドシャフト２５によって案内されてキャリッジ２４を移動させる駆動手段が形成されている。
【０００７】
上述のように、装置内にディスクを搬入および搬出するトレイに、ディスクのサイズに対応させた円弧状外形凹部を形成することにより、ディスク載置時の作業性の向上、および、トレイ移動時のディスクずれ防止等を可能とする方法が提供されている。
【０００８】
図５は、従来技術によるディスク装置の他の例を説明するための図で、図５（Ａ）は平面図で、図５（Ｂ）は図５（Ａ）のＢ−Ｂ矢視図である。
上記特開平９−２９３３０６号公報に開示されたものは、図５に示したようなローディング機構によって装置に対するディスクの搬入および搬出を行うようにしたもので、ディスク３２が交換自在に載置されかつ光ディスクドライブ装置筐体の前面開口部を介して前記筐体前面と前記筐体内部とを引き出し収納自在に水平駆動されるトレイ本体３１と、前記トレイ本体３１上面奥側に立設された枢軸２６と、一端が当該枢軸２６に開閉自在に枢支されると共に前記一端から他端へわたって前記ディスク３２の周縁部２９を厚さ方向に包持する包持溝２７を相対向して凹設した一対のクランプアーム２８と、前記枢軸２６に巻回され前記一対のクランプアーム２８を相互に引き付け付勢するコイルバネ３０とから構成されており、ディスク周縁部２９をトレイ本体３１上面の一対のクランプアーム２８の包持溝２７相互間へ、一対のクランプアーム２８を押し広げつつ挿入し、ディスク３２を一対のクランプアーム２８の包持溝２７相互間に把持させ、ローデイング機構を駆動して、トレイ本体３１をディスク装置筐体内部に収納するようにしたものである。
【０００９】
【発明が解決しようとする課題】
しかしながら、上記従来技術によるディスク収納方式では、トレイ本体に円弧状外形を有する３種類の凹部の形成や、トレイ本体にクランプアームの付設が必要であり、上述のように、トレイ本体にある程度厚みが必要であり、装置全体での薄形化，軽量化を図ることができなかった。
【００１０】
本発明は、上述のような実情を考慮してなされたもので、ディスク装置のディスク収納において、従来技術のように、引き出し収納の方式とは異なり、新規なディスク収納方法として、クランクアームを回動収納する方式を用いることにより、装置の薄型化や軽量化が可能なディスク装置を提供することを目的としてなされたものである。
【００１１】
【課題を解決するための手段】
請求項１の発明は、ディスクを保持するディスク保持手段を有し、該ディスク保持手段によって前記ディスクの搬入および搬出を行うディスク装置において、前記ディスク保持手段が、前記ディスク周縁部の半周より狭い範囲に当接するように３つのディスク当接支持部材が配設された円弧状のディスク保持部を有し、前記ディスク当接支持部材のうちの１つは前記ディスクの上面に当接し、残りの２つのディスク当接支持部材は前記ディスクの下面に当接することを特徴としたものである。
【００１２】
請求項２の発明は、請求項１に記載のディスク装置において、前記ディスク保持部が、前記ディスクの下面に当接する１つの前記ディスク当接支持部材を有するディスク支持部材と、前記ディスクの上面と下面に当接する残り２つの前記ディスク当接支持部材を有する他のディスク支持部材とからなり、複数の前記ディスク支持部材が、結合軸によって結合され、かつ、付勢手段によって付勢されて前記ディスクの外形より大きい外径を有する円弧を形成することを特徴としたものである。
【００１４】
請求項３の発明は、請求項２に記載のディスク装置において、円錐台状のディスク案内突起が設けられ、かつ、前記ディスク保持手段の回動に連動して前記ディスクを上下させるディスク昇降手段を有し、該ディスク昇降手段が、前記ディスク保持手段が所定の位置まで回動される動作に連動して、前記ディスク案内突起を前記ディスクの中央孔に嵌合させて該ディスクを保持することを特徴としたものである。
【００１７】
【発明の実施の形態】
図１乃至図３は、本発明によるディスク装置の一実施例を説明するための要部構成図で、図１（Ａ）はディスクの取り出しまたは装填開始時の状態を示す平面図で、図１（Ｂ）はその正面図、図２（Ａ）はディスク取り出し動作中または装填途中の状態を示す平面図で、図２（Ｂ）はその正面図、図３（Ａ）はディスク装填完了時の状態を示す平面図で、図３（Ｂ）はその正面図である。
【００１８】
図１に示したように、ディスク４を当接支持するために、ローディングアーム５とローディングサブアーム６とが軸５ａで枢支されており、また、ローディングアーム５に対してローディングサブアーム６が付勢ばね７によって付勢されている。ローディングサブアーム６が付勢ばね７によって付勢されて軸５ａを中心に回動し、ローディングサブアーム６の一端が、ストッパ５ｃに当接して係止されることにより、ローディングアーム５とローディングサブアーム６とによって、ディスク４の外径よりやや大きめの外径を有する円弧が形成される。
【００１９】
当接支持部材５ｄ，６ａがディスク４の下面を支え、当接支持部材５ｅが、ディスク４の上面を受けることにより、ディスク４自身の重心との関係で、ディスク４が所定の位置に保持されるようになっている。また、ローディングアーム５の一端は、基台（図示せず）に植設されたアーム軸１４に回動自在に取り付けられているとともに、一体的に形成された部分ギア５ｂを有しており、減速駆動系であるギア８，プーリギア９，ベルト１０，プーリ１１，駆動モータ１２と回転結合されている。駆動モータ１２が図示反時計方向に回転すると、ローディングアーム５とローディングサブアーム６と付勢ばね７とからなるディスク保持部材が反時計方向に回転する。
【００２０】
ディスク４がメカ組品１に装填できる所定の位置の近傍に来ると、パネル蓋１５が連動してＲ方向に回転し、前記ディスク保持部材を装置の前面に出すために必要であったパネルの開口部が閉じる。
【００２１】
図２に示したように、メカ組品１は、前記減速駆動系と連動した（連動する機構は図示せず）スライドカム１３により、支軸１ｂを回転軸として図示反時計方向に回転し、所定の位置に来たディスク４を下からすくい上げるようにして、円錐台状のディスク案内突起を有するターンテーブル１ａにディスク４の中心孔を案内して係止する。メカ組品１が更に回転すると、天板２に回動自在で、かつ、上下方向にも移動可能に取り付けられたクランパ３が、ディスク４をしっかりと保持し、ターンテーブル１ａと一体となって回転するようになっている（図３を参照）。
【００２２】
図３に示したように、ローディングアーム５とローディングサブアーム６と付勢ばね７とからなるディスク保持部材は、更に回転を続け、天板２に植設された解除ピン２ａにローディングサブアーム６の端部６ｂが当接することにより、ローディングサブアーム６が、軸５ａを中心に付勢ばね７を押圧するように回動し、これにより、当接支持部材５ｄ，５ｅ，６ａがディスク４から離間し、ディスク保持部材がディスク４を解放する。尚、ディスク４を取り出すときの動作は、上記説明の逆の順番となる。
【００２３】
【発明の効果】
以上の説明から明らかなように、本発明によれば、トレイの本体部分を薄くすることができ、装置全体の薄型化，軽量化が図られると共に、ディスクの支持およびディスクの収納が回動式のため、ディスクを装填するために、装置の外に出る案内保持部分が小さく、シンプルに見える。
【図面の簡単な説明】
【図１】本発明によるディスク装置の一実施例を説明するための図で、ディスクの取り出しまたは装填開始の状態を示す要部構成図である。
【図２】図１に示した実施例のディスクの取り出し動作中または装填途中の状態を示す要部構成図である。
【図３】図１に示した実施例のディスク装填完了時の状態を示す要部構成図である。
【図４】従来技術によるディスク装置の一例を説明するための要部斜視図である。
【図５】従来技術によるディスク装置の他の例を説明するための要部構成図である。
【符号の説明】
１…メカ組品、１ａ…ターンテーブル、１ｂ…支軸、１ｃ…カムフォロアピン、２…天板、２ａ…解除ピン、３…クランパ、４，３２…ディスク、５…ローディングアーム、５ａ…軸、５ｂ…部分ギア、５ｃ…ストッパ、５ｄ，５ｅ，６ａ…当接支持部材、６…ローディングサブアーム、６ｂ…ローディングサブアームの端部、７…付勢ばね、８…ギア、９…プーリギア、１０…ベルト、１１…プーリ、１２…駆動モータ、１３…スライドカム、１４…アーム軸、１５…パネル蓋、１６…トレイ、１６ａ…ラック部、１６ｂ，１６ｃ，１６ｄ…円弧状外形凹部、１７…プレーヤハウジング、１８…案内レール、１９…歯車、２０…ターンテーブル、２１…ディスククランプ機構、２２…円盤状押圧部材、２３…支持部材、２４…キャリッジ、２５…ガイドシャフト、２６…枢軸、２７…包持溝、２８…クランプアーム、２９…ディスク周縁部、３０…コイルバネ、３１…トレイ本体。
【図１】
0003585390.tif 000002
【図２】
0003585390.tif 000003
【図３】
0003585390.tif 000004
【図４】
0003585390.tif 000005
【図５】
0003585390.tif 000006